(57)【要約】【課題】同一筐体内に無線通信手段と放送受信手段とが備わっている場合でも、無線通信手段からの妨害波の影響を放送受信手段が受けにくくし、放送波の受信電力が小さいときの受信状況悪化を防ぐことができる通信端末装置を実現する。【解決手段】無線通信部２は、モード切替回路１５からのモード切替信号１６を受け、モード切替信号１６が低電位の場合は通信を行うことのできない通信停止の状態となり、モード切替信号１６が高電位の場合は通信を行うことのできる通信非停止の状態となる。自動利得制御回路１３は、第１の制御として、Ａ／Ｄ変換回路１１への入力レベルが適正レベルになるようにＡＧＣ信号１７およびＡＧＣ信号１８の大きさを調整する。また、自動利得制御回路１３は、第２の制御として、モード切替信号１６が高電位の場合は、所定の最大値設定値にＡＧＣ信号１７および１８の最大値を設定する。第２の制御は第１の制御よりも優先して行われる。【選択図】図１
2005322961.tif 000002
【特許請求の範囲】
【請求項１】
無線基地局と通信を行う無線通信手段と、
放送基地局からの放送を受信する放送受信手段とを備える通信端末装置において、
前記無線通信手段の通信を停止する第1のモードと前記無線通信手段の通信を停止しない第２のモードとを切り替えるモード切替手段を有し、
前記第１のモードにおける前記放送受信手段の受信利得の上限が前記第２のモードにおける前記放送受信手段の受信利得の上限より高いことを特徴とする、通信端末装置。
【請求項２】
前記第２のモードにおける前記放送受信手段の受信利得の上限は、前記無線通信手段からの妨害により前記放送受信手段が飽和しない値であることを特徴とする、請求項１に記載の通信端末装置。
【請求項３】
前記モード切替手段におけるモード切り替えは、通信端末装置の使用者の指示に基づき行われることを特徴とする、請求項１に記載の通信端末装置。
【請求項４】
前記モード切替手段におけるモード切り替えは、通信端末装置の使用者の通信開始操作により自動的に第２のモードに切り替わるように行われることを特徴とする、請求項１に記載の通信端末装置。
【請求項５】
通信端末装置が第１のモードにあること、又は、通信端末装置が第２のモードにあることを表示するモード表示手段を有することを特徴とする、請求項１に記載の通信端末装置。
【発明の詳細な説明】
【技術分野】
【０００１】
この本発明は、無線通信手段と放送受信手段とを備える通信端末装置に関するものであり、特に、地上デジタルテレビを内蔵した携帯電話に関する。
【背景技術】
【０００２】
近年、携帯電話は、従来の通話機能だけではなく、電子メール機能やインターネット閲覧機能などが付加され、広く普及している。一方、現在日本国内で視聴されている地上波アナログ放送に代わる新しい放送として、２００３年より地上デジタルテレビ放送が開始されている。
【０００３】
この地上デジタルテレビ放送の技術規格ＩＳＤＢ−Ｔ（Integrated Services Digital Broadcasting）では、変調方式に多数の搬送波（キャリア）を使うＯＦＤＭ（Orthogonal Frequency Division Multiplexing）が採用され、ビルによる反射など複数の伝播経路（マルチパス）によるゴースト妨害も抑制が可能となる。また、ＩＳＤＢ−Ｔではキャリア間隔を規定する伝送モードやキャリアごとの変調方式、有効シンボル長ごとに設ける時間軸方向のガードインターバルがそれぞれ複数規定されており、極めて多数の信号形式が規格の上では許容されている。実際にはこれらの中から、固定受信や移動受信などのサービスに応じて最適な形式が選択されることになる。また、ＩＳＤＢ−Ｔでは１つのチャンネル（帯域約５．６ＭＨｚ）を１３セグメント（１セグメント＝約４３０ＫＨｚ）に分割し、これを単位に変調方式を変えることになる。これによって、１つのチャンネルで音声放送とハイビジョン放送、標準固定放送と移動体放送といったように、放送局は任意に信号構成を決定することができる。さらに、ＩＳＤＢ−Ｔは時間軸方向のインターリブを取入れており、利用する電波も移動体への伝送に適していることから、車載テレビなどの移動体受信機やＰＤＡ（Personal Digital Assistants）や携帯電話などの携帯端末でも安定した受信が可能となることが大きな特徴の１つとして挙げられる。
【０００４】
以上のことから、近年、携帯電話と地上デジタルテレビ放送とを結び付けた通信・放送融合サービスが期待されている。具体的には、地上デジタルテレビ内蔵の携帯電話上で地上デジタルテレビ放送を視聴し、テレビ放送に関連する情報を通信を介して取得できるようなサービスが提案されている。
【０００５】
一方、地上デジタルテレビ放送受信機等の従来の受信機の放送受信部は、例えあば図５に示すような構成になっている。放送受信部は、アンテナ２７に接続された第１のフィルタ２８、第１の可変利得増幅回路２９、周波数変換回路３０、第２のフィルタ３１、第２の可変利得増幅回路３２、Ａ／Ｄ変換回路３３、復調回路３４、自動利得制御回路３５、飽和検出回路３６を備える。
【０００６】
アンテナ２７で受信された周波数成分の中から必要な周波数成分が第１のフィルタ２８で取り出され、第１の可変利得回路２９で増幅または減衰され、周波数変換回路３０で所望の周波数帯域に変換される。その後、さらに必要な周波数成分が第２のフィルタ３１で取り出され、第２の可変利得回路３２で増幅され、Ａ／Ｄ変換回路３３によりアナログーデジタル変換されて、復調回路３４で復調される。
【０００７】
自動利得制御回路３５は、Ａ／Ｄ変換回路３３の出力であるＡ／Ｄ変換データ３７と、飽和検出回路３６からの飽和検知信号３８とを受け、第１の可変利得増幅回路２９へのＡＧＣ信号３９および第２の可変利得増幅回路３２へのＡＧＣ信号４０を出力する。ＡＧＣ信号３９が大きくなると第１の可変利得増幅回路２９の利得が大きくなり、ＡＧＣ信号４０が大きくなると第２の可変利得増幅回路３２の利得が大きくなるように構成されている。
【０００８】
ここで、自動利得制御回路３５は、第１の制御として、Ａ／Ｄ変換回路３３への入力レベルが適正レベルになるようにＡＧＣ信号３９およびＡＧＣ信号４０の大きさを調整する。また、自動利得制御回路３５は、第２の制御として、飽和検知信号３８が飽和を表している場合、ＡＧＣ信号３９および４０が小さくなるように制御する。第２の制御は第１の制御よりも優先して行われる。すなわち、第２の制御によりＡＧＣ信号３９および４０が小さくなるように制御された場合、第１の制御によりＡＧＣ信号３９および４０をより大きくしようとしてもできないようになっている（例えば、特許文献１参照）。
【０００９】
図６は、自動利得制御回路３５の要部構成を示す。自動利得制御回路３５は、平均化回路４１と、演算回路４２と、第１のＤ／Ａ変換回路４３および第２のＤ／Ａ変換回路４４を備える。
【００１０】
平均化回路４１は、Ａ／Ｄ変換データ３７の平均電力値を算出する。演算回路４２は、第１の制御に対応して、平均化回路４１からの平均電力値と基準値とを比較し、平均電力値が大きければＡＧＣ信号３９および４０が小さくなるようなデジタル値を第１のＤ／Ａ変換回路４３および第２のＤ／Ａ変換回路４４に出力し、平均電力値が小さければＡＧＣ信号３９および４０が大きくなるようなデジタル値を第１のＤ／Ａ変換回路４３および第２のＤ／Ａ変換回路４４に出力する（例えば、特許文献２参照）。ただし、第２の制御に対応して、演算回路４２は、飽和検知信号３８が飽和を表している場合には、ＡＧＣ信号３９および４０が小さくなるようなデジタル値を第１のＤ／Ａ変換回路４３および第２のＤ／Ａ変換回路４４に出力するようになっている。第１のＤ／Ａ変換回路４３および第２のＤ／Ａ変換回路４４は、演算回路４２からのデジタル値をアナログ値に変換し、ＡＧＣ信号３９および４０を生成する。
【００１１】
飽和検出回路３６の出力である飽和検知信号３８は、飽和検出回路３６が接続されている周波数変換回路３０の出力が、後段のフィルタ３１および第２の可変利得増幅回路３２が飽和する出力に対して所定の値以内に近づいた時に飽和を表すように設定されている。
【００１２】
以上のように飽和検出回路３６で飽和が検出された場合に、自動利得制御回路３５で生成されるＡＧＣ信号３９および４０を小さくすることにより、後段のフィルタ３１および第２の可変利得増幅回路３２が飽和することを防ぐことができる。
【特許文献１】実開平３−４６８８１号公報（公開日１９９１年４月３０日  要約、第１図）
【特許文献２】特開２００２−７７１０１号公報（公開日２００２年３月１５日  段落００３１〜００３５、図１）
【発明の開示】
【発明が解決しようとする課題】
【００１３】
同一筐体内に無線通信手段と放送受信手段とが備わっている場合、無線通信手段からの送信波は、放送受信手段にとって非常に大きな妨害波となる。例えば、放送受信手段が受信する希望波の受信電力が−７０ｄＢｍ程度の時に、無線通信手段が送信する妨害波の送信電力が３０ｄＢｍ程度と大きくなることが考えられ、放送受信手段のアンテナの周波数特性やフィルタの周波数特性により妨害波がある程度減衰されても、まだ放送受信手段に入力される妨害波の受信電力は大きい。また、無線通信手段における送信は間歇的に行われることが多く、このため、無線通信手段からの妨害波の受信電力の変化が速い。ここで、無線通信手段からの妨害波には、通信端末装置の使用者が意図して通信を行う際の送信波と、通信端末装置の使用者が意図せず通信端末装置が自動的に基地局に自己の位置を知らせる送信波などが含まれる。
【００１４】
従来の放送受信部が、このような受信電力が非常に大きく変化が速い妨害波を受信した場合、可変利得増幅回路の利得調整が間に合わずに放送受信部が飽和するという問題が生じる。
【００１５】
具体的には、このような妨害波を受信した場合、飽和検出回路３６で飽和が検出され、自動利得制御回路３５で生成されるＡＧＣ信号３９および４０が小さくなるが、演算回路４２と、第１のＤ／Ａ変換回路４３および第２のＤ／Ａ変換回路４４とを介しているため、ＡＧＣ信号３９および４０の変化が遅い。このため、妨害波の変化に追随できず、第１の可変利得増幅回路２９および第２の可変利得増幅回路３２の利得調整が間に合わなくなる。
【００１６】
また、飽和検出回路３６で飽和が検出された場合に、自動利得制御回路３５で生成されるＡＧＣ信号３９および４０を小さくしても、妨害波が大きいので、ＡＧＣ信号３９および４０を小さくする量が足りずに飽和状態が続く可能性がある。ＡＧＣ信号３９および４０を小さくする量が足りるように飽和検出回路３６で飽和が検出されないときのＡＧＣ信号３９および４０を低く設定すると、ＡＧＣ信号３９および４０が定常的に低くなるため放送受信手段の受信感度が定常的に低くなり、放送波の受信電力が小さい場合の受信状況が悪化する。
【００１７】
本発明は、上記の問題に鑑みてなされたものであり、その目的は、同一筐体内に無線通信手段と放送受信手段とが備わっている場合でも、無線通信手段からの妨害波の影響を放送受信手段が受けにくくし、放送波の受信電力が小さいときの受信状況悪化を防ぐことができる通信端末装置を実現することにある。
【課題を解決するための手段】
【００１８】
本発明に係る通信端末装置は、上記課題を解決するために、無線基地局と通信を行う無線通信手段と、放送基地局からの放送を受信する放送受信手段とを備える通信端末装置において、前記無線通信手段の通信を停止する第1のモードと前記無線通信手段の通信を停止しない第２のモードとを切り替えるモード切替手段を有し、前記第１のモードにおける前記放送受信手段の受信利得の上限が前記第２のモードにおける前記放送受信手段の受信利得の上限より高いことを特徴とする。
【００１９】
前記第２のモードにおける前記放送受信手段の受信利得の上限は、前記無線通信手段からの妨害により前記放送受信手段が飽和しない値であってもよい。
【００２０】
また、前記モード切替手段におけるモード切り替えは、通信端末装置の使用者の指示に基づき行われてもよい。
【００２１】
また、前記モード切替手段におけるモード切り替えは、通信端末装置の使用者の通信開始操作により自動的に第２のモードに切り替わるように行われてもよい。
【００２２】
また、通信端末装置が第１のモードにあること、又は、通信端末装置が第２のモードにあることを表示するモード表示手段を有してもよい。
【発明の効果】
【００２３】
本発明に係る通信端末装置は、以上のように、無線通信手段の通信を停止する第1のモードと無線通信手段の通信を停止しない第２のモードとを切り替えるモード切替手段を有し、第１のモードにおける放送受信手段の受信利得の上限が第２のモードにおける放送受信手段の受信利得の上限より高いので、通信を行わないときに第１のモードに切り替えれば、無線通信手段からの送信波による妨害によって放送受信手段が飽和することがなくなり、放送受信手段の受信利得の上限を高くできる。それゆえ、同一筐体内に無線通信手段と放送受信手段とが備わっている場合でも、放送受信手段の受信感度を上げて、放送波の受信電力が小さいときの受信状況悪化を防ぐことができるという効果を奏する。
【００２４】
本発明に係る通信端末装置は、以上のように、さらに第２のモードにおける放送受信手段の受信利得の上限が無線通信手段からの妨害により放送受信手段が飽和しない値であるので、通信を行うときに、第２のモードに切り替えることにより放送受信手段の受信利得の上限を無線通信手段からの妨害により放送受信手段が飽和しない値にまで低くし、無線通信手段から大きな妨害波が入力されても放送受信手段が飽和することを避けることができる。また、無線通信手段が通信を行っている間の受信利得を連続して低く設定するので、無線通信手段からの妨害波の受信電力の変化が速くても、利得調整を間に合わせる必要がない。それゆえ、同一筐体内に無線通信手段と放送受信手段とが備わっている場合でも無線通信手段からの妨害波の影響を放送受信手段が受けにくくすることができるという効果を奏する。
【００２５】
本発明に係る通信端末装置は、以上のように、さらにモード切替手段におけるモード切り替えが通信端末装置の使用者の指示に基づき行われるので、通信端末装置の使用者の好みのタイミングでモードの切り替えが行われる。それゆえ、通信端末装置の使用者は、通信を停止する状態にして受信利得の上限を高めるか、あるいは、通信を停止しない状態にして受信利得の上限を低めるかを任意に選択することができるという効果を奏する。
【００２６】
本発明に係る通信端末装置は、以上のように、さらにモード切替手段におけるモード切り替えが通信端末装置の使用者の通信開始操作により自動的に第２のモードに切り替わるように行われるので、使用者は通信を行うときに、第１のモードから第２のモードへの切り替え操作を行う必要がない。それゆえ、使用者が通信を行うときの操作の煩雑さを増やさずにすむという効果を奏する。
【００２７】
本発明に係る通信端末装置は、以上のように、さらに通信端末装置が第１のモードにあること、又は、通信端末装置が第２のモードにあることを表示するモード表示手段を有するので、使用者がモードを容易に識別できる。それゆえ、使用者がモードの切り替えを状況に合わせて適切に行うことができるという効果を奏する。
【発明を実施するための最良の形態】
【００２８】
本発明の一実施形態について図１ないし図３に基づいて説明すると以下の通りである。
【００２９】
図１は、本発明の実施形態を示すものであり、通信端末装置の要部構成を示すブロック図である。
【００３０】
図１を参照して、本実施の形態における通信端末装置１は、無線基地局と通信を行う無線通信部（無線通信手段）２と、放送基地局からの放送を受信する放送受信部（放送受信手段）３と、モード切替回路（モード切替手段）１５とを備える。無線通信部２には通信を行うためのアンテナ４が接続され、放送受信部３には、放送の受信を行うためのアンテナ５が接続される。放送受信部３は、第１のフィルタ６、第１の可変利得増幅回路７、周波数変換回路８、第２のフィルタ９、第２の可変利得増幅回路１０、Ａ／Ｄ変換回路１１、復調回路１２、自動利得制御回路１３を備える。
【００３１】
アンテナ５で受信された周波数成分の中から必要な周波数成分が第１のフィルタ６で取り出され、第１の可変利得増幅回路７で増幅または減衰され、周波数変換回路８で所望の周波数帯域に変換される。その後、さらに必要な周波数成分が第２のフィルタ９で取り出され、第２の可変利得増幅回路１０で増幅され、Ａ／Ｄ変換回路１１によりアナログーデジタル変換されて、復調回路１２で復調される。
【００３２】
自動利得制御回路１３は、Ａ／Ｄ変換回路１１の出力であるＡ／Ｄ変換データ１４と、モード切替回路１５からのモード切替信号１６とを受け、第１の可変利得増幅回路７へのＡＧＣ信号１７および第２の可変利得増幅回路１０へのＡＧＣ信号１８を出力する。ＡＧＣ信号１７が大きくなると第１の可変利得増幅回路７の利得が大きくなり、ＡＧＣ信号１８が大きくなると第２の可変利得増幅回路１０の利得が大きくなるように構成されている。
【００３３】
無線通信部２は、モード切替回路１５からのモード切替信号１６を受け、モード切替信号１６が低電位の場合は通信を行うことのできない通信停止の状態（第１のモード）となり、モード切替信号１６が高電位の場合は通信を行うことのできる通信非停止の状態（第２のモード）となる。
【００３４】
ここで、自動利得制御回路１３は、第１の制御として、モード切替信号１６の状態に関わらず、Ａ／Ｄ変換回路１１への入力レベルが適正レベルになるようにＡＧＣ信号１７およびＡＧＣ信号１８の大きさを調整する。また、自動利得制御回路１３は、第２の制御として、モード切替信号１６が高電位の場合は、所定の最大値設定値にＡＧＣ信号１７および１８の最大値を設定する。第２の制御は第１の制御よりも優先して行われる。すなわち、第２の制御によりＡＧＣ信号１７および１８の最大値が設定された場合、第１の制御によりＡＧＣ信号１７および１８を設定された最大値より大きくしようとしてもできないようになっている。ここで、第１の制御は、放送受信部が放送を受信している時間中に行われ、第２の制御は、放送受信部が放送を受信している時間中のうちモード切替信号１６が高電位になっている場合に行われる。
【００３５】
図２は、自動利得制御回路１３の要部構成を示す。自動利得制御回路１３は、平均化回路１９と、演算回路２０と、第１のＤ／Ａ変換回路２１および第２のＤ／Ａ変換回路２２を備える。演算回路２０にはモード切替信号１６が入力される。
【００３６】
平均化回路１９は、Ａ／Ｄ変換データ１４の平均電力値を算出する。演算回路２０は、第１の制御に対応して、平均化回路１９からの平均電力値と基準値とを比較し、平均電力値が大きければＡＧＣ信号１７および１８が小さくなるようなデジタル値を第１のＤ／Ａ変換回路２１および第２のＤ／Ａ変換回路２２に出力し、平均電力値が小さければＡＧＣ信号１７および１８が大きくなるようなデジタル値を第１のＤ／Ａ変換回路２１および第２のＤ／Ａ変換回路２２に出力する。ただし、第２の制御に対応して、演算回路２０は、モード切替信号１６が高電位の場合は、所定の最大値設定値をＡＧＣ信号１７および１８の最大値として、ＡＧＣ信号１７および１８がこの値を超えないようなデジタル値を第１のＤ／Ａ変換回路２１および第２のＤ／Ａ変換回路２２に出力するようになっている。第１のＤ／Ａ変換回路２１および第２のＤ／Ａ変換回路２２は、演算回路２０からのデジタル値をアナログ値に変換し、ＡＧＣ信号１７および１８を生成する。
【００３７】
ＡＧＣ信号１７および１８の最大値として設定される最大値設定値は、無線通信部２からの妨害により放送受信部３が飽和しない範囲のできるだけ大きな値に設定される。例えば、無線通信部２で通信を行っても放送受信部３に影響を与えない範囲のできるだけ大きな受信利得を数種類の送信強度について予め測定して演算回路２０で記憶しておき、記憶したデータの中から通信端末装置１に備えられた制御部（図示しない）で検知された送信強度に対応する記録データを読み出すことにより最大値設定値が設定される。あるいは、通信端末装置１に備えられた制御部で、検知された送信強度を基に適切な受信利得を計算で求め、演算回路２０に最大値設定値とすべきデータを出力することにより設定される。あるいは、通信端末装置１の使用者が、受信状況に合わせて最大値設定値を設定できるようになっている。例えば、通信端末装置１に備えられた特定のスイッチを押す度に、予め用意されたデータの中から選択されたデータが最大値設定値として出力されるようになっている。
【００３８】
また、演算回路２０において平均化回路１９からの平均電力値に基づいて最大値設定値を決定するようにすれば、希望波の受信強度に応じてＡＧＣ信号１７および１８の最大値を設定することができる。
【００３９】
図３は、ＡＧＣ信号の最大値調整の例を示すタイミング図である。モード切替信号１６は、図３（ｂ）に示すように、通信を行うことのできる通信非停止の状態では高電位になり、通信を行うことのできない通信停止の状態では低電位になる。モード切替信号１６が高電位になっている期間内に、無線通信部２における送信が図３（ａ）に示すように行われる。モード切替信号１６に対応して、ＡＧＣ信号１７または１８の最大値は、図３（ｃ）に示すようにモード切替信号１６が高電位の期間中は低く設定される。
【００４０】
モード切替回路１５におけるモード切り替えは、通信端末装置１の使用者の指示に基づき行われる。例えば、図４に示すように携帯電話（通信端末装置）２３に設けたモード切替スイッチ２４を押すことにより、モード切替信号１６の高電位と低電位が交互に入れ替わり保持されるように構成されている。また、モード切替信号１６が低電位に保持されている場合に、携帯電話（通信端末装置）２３の使用者が、電話番号入力やメール送信メニュー表示等の通信開始操作を行ったときは、モード切替スイッチ２４を押さなくても自動的に低電位から高電位へ切り替わるようになっている。
【００４１】
また、携帯電話（通信端末装置）２３が第１のモードにあるときに画面表示部２５にモードインジケータ（モード表示手段）２６が表示され、携帯電話（通信端末装置）２３が第２のモードにあるときに画面表示部２５にモードインジケータ（モード表示手段）２６が表示されないようになっている。
【００４２】
なお、上記実施の形態では、モード切替信号１６が低電位の場合は通信を行うことのできない通信停止の状態となり、モード切替信号１６が高電位の場合は通信を行うことのできる通信非停止の状態となるとしたが、逆に、モード切替信号１６が高電位の場合は通信を行うことのできない通信停止の状態となり、モード切替信号１６が低電位の場合は通信を行うことのできる通信非停止の状態となるとしてもよい。
【００４３】
また、携帯電話（通信端末装置）２３が第１のモードにあるときに画面表示部２５にモードインジケータ（モード表示手段）２６が表示され、携帯電話（通信端末装置）２３が第２のモードにあるときに画面表示部２５にモードインジケータ（モード表示手段）２６が表示されないとしたが、逆に、携帯電話（通信端末装置）２３が第１のモードにあるときに画面表示部２５にモードインジケータ（モード表示手段）２６が表示されず、携帯電話（通信端末装置）２３が第２のモードにあるときに画面表示部２５にモードインジケータ（モード表示手段）２６が表示されるようにしてもよい。
【００４４】
また、上記実施の形態では、可変利得増幅回路を２個設けたが、１個または３個以上であっても同様に受信利得を制御できる。
【００４５】
また、上記実施の形態では、モード切替信号１６を出力するモード切替回路１５を設けたが、モード切替回路１５を設けず、通信端末装置１に備えられた制御部（図示しない）からモード切替信号１６を出力してもよい。
【００４６】
また、上記実施の形態では、ＡＧＣ信号１７および１８をＤ／Ａ変換回路２１および２２で生成したが、Ｄ／Ａ変換回路２１および２２の代わりに、ＡＧＣ信号１７および１８に対応するパルス数あるいはパルス幅のパルスを発生するパルス発生回路と低域通過フィルタの組み合わせによってＡＧＣ信号１７および１８を生成してもよい。
【００４７】
以上のように、無線通信部（無線通信手段）２の通信を停止する第1のモードと無線通信部（無線通信手段）２の通信を停止しない第２のモードとを切り替えるモード切替回路（モード切替手段）１５を有し、第１のモードにおける放送受信部（放送受信手段）３の受信利得の上限が第２のモードにおける放送受信部（放送受信手段）３の受信利得の上限より高いので、通信を行わないときに第１のモードに切り替えれば、無線通信部（無線通信手段）２からの送信波による妨害によって放送受信部（放送受信手段）３が飽和することがなくなり、放送受信部（放送受信手段）３の受信利得の上限を高くできる。
【００４８】
さらに、第２のモードにおける放送受信部（放送受信手段）３の受信利得の上限が無線通信部（無線通信手段）２からの妨害により放送受信部（放送受信手段）３が飽和しない値であるので、通信を行うときに、第２のモードに切り替えることにより放送受信部（放送受信手段）３の受信利得の上限を無線通信部（無線通信手段）２からの妨害により放送受信部（放送受信手段）３が飽和しない値にまで低くし、無線通信部（無線通信手段）２から大きな妨害波が入力されても放送受信部（放送受信手段）３が飽和することを避けることができる。また、無線通信部（無線通信手段）２が通信を行っている間の受信利得を連続して低く設定するので、無線通信部（無線通信手段）２からの妨害波の受信電力の変化が速くても、利得調整を間に合わせる必要がない。
【００４９】
さらに、モード切替回路（モード切替手段）１５におけるモード切り替えが通信端末装置１の使用者の指示に基づき行われるので、通信端末装置１の使用者の好みのタイミングでモードの切り替えが行われる。
【００５０】
さらに、モード切替回路（モード切替手段）１５におけるモード切り替えが通信端末装置１の使用者の通信開始操作により自動的に第２のモードに切り替わるように行われるので、使用者は通信を行うときに、第１のモードから第２のモードへの切り替え操作を行う必要がない。
【００５１】
さらに、通信端末装置１が第１のモードにあること、又は、通信端末装置１が第２のモードにあることを表示するモードインジケータ（モード表示手段）２６を有するので、使用者がモードを容易に識別できる。
【図面の簡単な説明】
【００５２】
【図１】本発明の実施形態を示すものであり、通信端末装置の要部構成を示すブロック図である。
【図２】図１に示す実施形態における自動利得制御回路の要部構成を示すブロック図である。
【図３】（ａ）ないし（ｃ）は、図１に示す実施形態におけるＡＧＣ信号の最大値調整の例を示すタイミング図である。
【図４】図１に示す実施形態の通信端末装置の一例である携帯電話を画面表示の例とともに示す外観図である。
【図５】従来技術を示すものであり、通信端末装置の要部構成を示すブロック図である。
【図６】図５に示す従来技術に含まれる自動利得制御回路の要部構成を示すブロック図である。
【符号の説明】
【００５３】
１  通信端末装置
２  無線通信部（無線通信手段）
３  放送受信部（放送受信手段）
４、５、２７  アンテナ
６、９、２８、３１  フィルタ
７、１０、２９、３２  可変利得増幅回路
８、３０  周波数変換回路
１１、３３  Ａ／Ｄ変換回路
１２、３４  復調回路
１３、３５  自動利得制御回路
１４、３７  Ａ／Ｄ変換データ
１５  モード切替回路（モード切替手段）
１６  モード切替信号
１７、１８、３９、４０  ＡＧＣ信号
１９、４１  平均化回路
２０、４２  演算回路
２１、２２、４３、４４  Ｄ／Ａ変換回路
２３  携帯電話
２４  モード切替スイッチ
２５  画面表示部
２６  モードインジケータ（モード表示手段）
３６  飽和検出回路
３８  飽和検知信号。
【図１】
2005322961.tif 000003
【図２】
2005322961.tif 000004
【図３】
2005322961.tif 000005
【図４】
2005322961.tif 000006
【図５】
2005322961.tif 000007
【図６】
2005322961.tif 000008